(57)【要約】【課題】文書データをその新規度とともに自動的に画面表示することを可能とする。【解決手段】既知単語入力部１１が、既知単語を入力し、入力した既知単語を既知単語記憶部１４内に記憶し、新規度算出部１２が、文書群記憶部１５内の各文書の情報と既知単語記憶部１４内の既知単語の情報とに基づいて、文書群記憶部１５内の各文書の新規度を算出し、文書データ表示部１３が、文書群記憶部１５内の各文書のタイトルを、新規度算出部１２によって算出された各文書の新規度に対応付けて画面表示する。【選択図】図１
2007265313.tif 000002
【特許請求の範囲】
【請求項１】
文書データを表示する文書データ表示装置であって、
既知の単語である既知単語を入力する既知単語入力手段と、
前記既知単語入力手段によって入力された既知単語の情報に基づいて、予め記憶手段内に記憶された文書群を構成する各文書の新規度を算出する新規度算出手段と、
前記各文書の文書データを前記新規度算出手段によって算出された前記各文書の新規度に対応付けて画面表示する文書データ表示手段とを備える
ことを特徴とする文書データ表示装置。
【請求項２】
請求項１に記載の文書データ表示装置において、
前記新規度算出手段は、前記文書群中の各文書に含まれる単語のうち、前記既知単語でない単語を新規単語とし、各新規単語が前記各文書中に出現する頻度に基づいて、前記各文書の新規度を算出する
ことを特徴とする文書データ表示装置。
【請求項３】
請求項２に記載の文書データ表示装置において、
前記新規度算出手段は、各新規単語が前記各文書中に出現する頻度に基づいて、前記各新規単語のスコアの値を算出し、算出された前記各新規単語のスコアの値に基づいて、前記各文書の新規度を算出する
ことを特徴とする文書データ表示装置。
【請求項４】
請求項２に記載の文書データ表示装置において、
前記新規度算出手段は、前記新規単語が前記各文書中に出現する頻度を前記各文書の新規度とする
ことを特徴とする文書データ表示装置。
【請求項５】
請求項２に記載の文書データ表示装置において、
前記新規度算出手段は、前記新規単語が前記各文書中に出現する割合を前記各文書の新規度とする
ことを特徴とする文書データ表示装置。
【請求項６】
請求項２乃至請求項５のいずれか１項に記載の文書データ表示装置において、
前記文書データ表示手段は、さらに、前記各文書に含まれる新規単語を前記各文書の文書データに対応付けて画面表示する
ことを特徴とする文書データ表示装置。
【請求項７】
請求項１乃至請求項６のいずれか１項に記載の文書データ表示装置において、
前記文書データ表示手段は、前記各文書の文書データを、前記各文書の新規度について降順または昇順に画面表示する
ことを特徴とする文書データ表示装置。
【請求項８】
請求項１乃至請求項７のいずれか１項に記載の文書データ表示装置において、
前記文書データ表示手段は、さらに、前記各文書の新規度を示すグラフまたは前記各文書の新規度の値を画面表示する
ことを特徴とする文書データ表示装置。
【請求項９】
請求項１に記載の文書データ表示装置において、
前記新規度算出手段は、前記文書群中の文書のテキストを所定の単位で分割し、分割されたテキスト毎に、新規度を算出し、
前記文書データ表示部は、前記分割されたテキストから抽出される特定のデータを前記分割されたテキストの新規度とともに画面表示する
ことを特徴とする文書データ表示装置。
【請求項１０】
請求項１に記載の文書データ表示装置が、さらに、
音声データを入力する音声データ入力手段と、
前記入力された音声データについて音声認識を行い、音声認識された音声データをテキストに変換する音声認識・変換手段とを備え、
前記新規度算出手段は、前記音声認識・変換手段によって変換された各テキストの新規度を算出し、
前記文書データ表示手段は、前記音声認識・変換手段によって変換された各テキストから抽出される特定のデータを前記各テキストの新規度とともに画面表示する
ことを特徴とする文書データ表示装置。
【請求項１１】
文書データを表示する文書データ表示方法であって、
既知の単語である既知単語を入力し、
前記入力された既知単語の情報に基づいて、予め記憶手段内に記憶された文書群を構成する各文書の新規度を算出し、
前記各文書の文書データを前記算出された前記各文書の新規度に対応付けて画面表示する
ことを特徴とする文書データ表示方法。
【請求項１２】
文書データを表示する文書データ表示プログラムであって、
コンピュータに、
既知の単語である既知単語を入力する処理と、
前記入力された既知単語の情報に基づいて、予め記憶手段内に記憶された文書群を構成する各文書の新規度を算出する処理と、
前記各文書の文書データを前記算出された前記各文書の新規度に対応付けて画面表示する処理とを実行させる
ことを特徴とする文書データ表示プログラム。
【発明の詳細な説明】
【技術分野】
【０００１】
本発明は、文書データ表示技術に関し、特に、文書データをその新規度とともに画面表示する文書データ表示装置、文書データ表示方法および文書データ表示プログラムに関する。
【背景技術】
【０００２】
文書を読み書きするユーザにとって既知である単語である既知単語をシステム内の記憶手段に登録する技術は、従来から存在する。
【０００３】
また、下記の特許文献１には、入力された個人環境での読み書きデータから任意の文字列を抽出し、抽出した文字列毎の個数をカウントする個人環境頻度記憶装置に関して記載されている。
【特許文献１】特開２００４−２６５０１４号公報
【発明の開示】
【発明が解決しようとする課題】
【０００４】
しかし、従来技術では、登録した既知単語を用いて、文書群に含まれる各文書の新規度を算出し、例えば、文書データ（例えば各文書のタイトル等）を、当該各文書の新規度とともに自動的に画面表示することは行っていなかった。ここで、各文書の新規度とは、各文書の新規である度合いをいう。従って、従来技術は、比較的新規な文書を中心に閲覧するユーザにとって不便であった。
【０００５】
本発明は、文書データをその新規度とともに自動的に画面表示する文書データ表示装置、文書データ表示方法および文書データ表示プログラムの提供を目的とする。本発明において、文書データとは、例えば、各文書のタイトルなどのように、各文書から抽出された特定のデータをいう。
【課題を解決するための手段】
【０００６】
上記課題を解決するため、本発明の文書データ表示装置は、文書データを表示する文書データ表示装置であって、既知の単語である既知単語を入力する既知単語入力手段と、前記既知単語入力手段によって入力された既知単語の情報に基づいて、予め記憶手段内に記憶された文書群を構成する各文書の新規度を算出する新規度算出手段と、前記各文書の文書データを前記新規度算出手段によって算出された前記各文書の新規度に対応付けて画面表示する文書データ表示手段とを備える。
【０００７】
また、好ましくは、本発明の文書データ表示装置において、前記新規度算出手段は、前記文書群中の各文書に含まれる単語のうち、前記既知単語でない単語を新規単語とし、各新規単語が前記各文書中に出現する頻度に基づいて、前記各文書の新規度を算出する。
【０００８】
また、好ましくは、本発明の文書データ表示装置において、前記新規度算出手段は、各新規単語が前記各文書中に出現する頻度に基づいて、前記各新規単語のスコアの値を算出し、算出された前記各新規単語のスコアの値に基づいて、前記各文書の新規度を算出する。
【０００９】
また、好ましくは、本発明の文書データ表示装置において、前記新規度算出手段は、前記新規単語が前記各文書中に出現する頻度を前記各文書の新規度とする。
【００１０】
また、好ましくは、本発明の文書データ表示装置において、前記新規度算出手段は、前記新規単語が前記各文書中に出現する割合を前記各文書の新規度とする。
【００１１】
また、好ましくは、本発明の文書データ表示装置において、前記文書データ表示手段は、さらに、前記各文書に含まれる新規単語を前記各文書の文書データに対応付けて画面表示する。
【００１２】
また、好ましくは、本発明の文書データ表示装置において、前記文書データ表示手段は、前記各文書の文書データを、前記各文書の新規度について降順または昇順に画面表示する。
【００１３】
また、好ましくは、本発明の文書データ表示装置において、前記文書データ表示手段は、さらに、前記各文書の新規度を示すグラフまたは前記各文書の新規度の値を画面表示する。
【００１４】
また、好ましくは、本発明の文書データ表示装置において、前記新規度算出手段は、前記文書群中の文書のテキストを所定の単位で分割し、分割されたテキスト毎に、新規度を算出し、前記文書データ表示部は、前記分割されたテキストから抽出される特定のデータを前記分割されたテキストの新規度とともに画面表示する。
【００１５】
また、好ましくは、本発明の文書データ表示装置が、さらに、音声データを入力する音声データ入力手段と、前記入力された音声データについて音声認識を行い、音声認識された音声データをテキストに変換する音声認識・変換手段とを備え、前記新規度算出手段は、前記音声認識・変換手段によって変換された各テキストの新規度を算出し、前記文書データ表示手段は、前記音声認識・変換手段によって変換された各テキストから抽出される特定のデータを前記各テキストの新規度とともに画面表示する。
【００１６】
また、本発明の文書データ表示方法は、文書データを表示する文書データ表示方法であって、既知の単語である既知単語を入力し、前記入力された既知単語の情報に基づいて、予め記憶手段内に記憶された文書群を構成する各文書の新規度を算出し、前記各文書の文書データを前記算出された前記各文書の新規度に対応付けて画面表示する。
【００１７】
また、本発明の文書データ表示プログラムは、文書データを表示する文書データ表示プログラムであって、コンピュータに、既知の単語である既知単語を入力する処理と、前記入力された既知単語の情報に基づいて、予め記憶手段内に記憶された文書群を構成する各文書の新規度を算出する処理と、前記各文書の文書データを前記算出された前記各文書の新規度に対応付けて画面表示する処理とを実行させる。
【発明の効果】
【００１８】
本発明の文書データ表示装置、文書データ表示方法および文書データ表示プログラムは、既知の単語である既知単語を入力し、入力された既知単語の情報に基づいて、予め記憶手段内に記憶された文書群を構成する各文書の新規度を算出し、各文書の文書データを上記算出された各文書の新規度に対応付けて画面表示する。従って、本発明によれば、ユーザが、比較的新規な文書を中心に閲覧することが可能となる。
【発明を実施するための最良の形態】
【００１９】
図１は、本発明の文書データ表示装置の構成の一例を示す図である。文書データ表示装置１は、文書群記憶部１５内に記憶された文書の文書データをその新規度とともに画面表示する処理装置である。文書データ表示装置１は、既知単語入力部１１、新規度算出部１２、文書データ表示部１３、既知単語記憶部１４、文書群記憶部１５を備える。
【００２０】
既知単語入力部１１は、ユーザにとって既知の単語である既知単語を入力し、既知単語記憶部１４内に記憶する。既知単語入力部１１は、図２を参照して後述するように、入力された個人環境での読み書きデータに含まれる単語の頻度情報に基づいて既知単語を決定し、決定した既知単語を既知単語記憶部１４内に記憶してもよい。新規度算出部１２は、既知単語記憶部１４内の既知単語の情報に基づいて、文書群記憶部１５内の各文書の新規度を算出する。各文書の新規度とは、前述したように、各文書の新規である度合いをいう。例えば、新規度算出部１２は、文書群記憶部１５内のある文書に含まれる単語のうち、既知単語でない単語を新規単語とし、各新規単語が当該文書中に出現する頻度に基づいて、当該文書の新規度を算出する。より具体的には、新規度算出部１２は、例えば、各新規単語が当該文書中に出現する頻度に基づいて決まるスコアの値を算出する。そして、新規度算出部１２は、例えば、算出された各新規単語のスコアの値に基づいて、当該文書の新規度を算出する。なお、文書データ表示装置１は、既知単語入力部１１が省略された構成を採ってもよく、新規度算出部１２は、予め人手で既知単語記憶部１４内に記憶された既知単語の情報に基づいて、文書群記憶部１５内の各文書の新規度を算出してもよい。
【００２１】
本発明の一実施形態によれば、新規度算出部１２は、新規単語が各文書中に出現する頻度を各文書の新規度とするようにしてもよい。例えば、ある文書中に新規単語が５語出現した場合に、当該文書の新規度を５としてもよい。また、本発明の一実施形態によれば、新規度算出部１２は、新規単語が各文書中に出現する割合を各文書の新規度とするようにしてもよい。新規単語が各文書中に出現する割合とは、新規単語が各文書中に出現する数の、各文書中に出現する単語の総数に対する割合である。本発明の一実施形態によれば、例えば、ある文書中の新規単語Ａが当該文書中に出現する数をＴA 、新規単語Ｂが当該文書中に出現する数をＴB 、当該文書中に含まれる単語の総数をＵとすると、（ＴA ／Ｕ）＋（ＴB ／Ｕ）という式に従って決まる値を、新規単語が各文書中に出現する割合（すなわち当該文書の新規度）としてもよいし、（ＴA ＋ＴB ）／Ｕという式に従って決まる値を、新規単語が各文書中に出現する割合（すなわち当該文書の新規度）としてもよい。
【００２２】
文書データ表示部１３は、新規度算出部１２によって算出された新規度に基づいて、文書群記憶部１５内の各文書の文書データを当該各文書の新規度とともに画面表示する。すなわち、文書データ表示部１３は、文書群記憶部１５から各文書を抽出し、抽出された各文書の文書データを作成する。文書データ表示部１３は、例えば、各文書の情報から各文書のタイトルを文書データとして抽出する。そして、文書データ表示部１３は、抽出した各文書のタイトルを、各文書の新規度に対応付けて画面表示する。文書データ表示部１３は、例えば、文書毎に、当該文書のタイトルに対応付けて、当該文書の新規度を示すグラフ（例えば、バー、円グラフ、バブルチャート等）を画面表示したり、新規度の値自体を画面表示したりする。
【００２３】
文書データ表示部１３は、例えば、各文書のタイトルのリストを、各文書の新規度が高い順（降順）または低い順（昇順）に各文書のタイトルが並ぶ形式で画面表示する。文書データ表示部１３は、例えば、新規度が所定の閾値以上の文書のタイトルを画面表示してもよい。また、文書データ表示部１３は、例えば、新規度が高い順に所定の数だけ文書を選択し、選択された文書のタイトルを画面表示してもよい。また、文書データ表示部１３は、新規度の最大値に対して所定の割合を掛けた値を求め、その求めた値以上の新規度を持つ文書のタイトルを画面表示してもよい。本発明の実施の形態によれば、上記の閾値や所定の割合を予め定めてもよいし、適宜ユーザが閾値や所定の割合を設定してもよい。
【００２４】
また、文書データ表示部１３は、例えば、各文書のタイトルに対応付けて、各文書に含まれる新規単語を画面表示してもよい。例えば、新規単語を、各新規単語のスコアの値について降順または昇順に並べて画面表示してもよい。また、文書データ表示部１３は、例えば、スコアの値が所定の閾値以上の新規単語を画面表示してもよい。また、文書データ表示部１３は、例えば、スコアの値が高い順に所定の数だけ新規単語を選択し、選択された新規単語を画面表示してもよい。また、文書データ表示部１３は、各文書毎に、各文書に含まれる新規単語のスコアの最大値に対して所定の割合を掛けた値を求め、その求めた値以上のスコアを持つ新規単語を画面表示してもよい。本発明の実施の形態によれば、当該閾値や所定の割合を予め定めてもよいし、適宜ユーザが閾値や所定の割合を設定してもよい。
【００２５】
既知単語記憶部１４は、既知単語入力部１１によって入力された既知単語を記憶し、文書群記憶部１５は、文書群を記憶する。
【００２６】
ここで、新規度算出部１２による、各文書に含まれる新規単語のスコアの値の算出について説明する。例えば、ある文書において、単語Ａ、単語Ａ、単語Ａ、単語Ｂ、単語Ｃという５語が出現し、また、単語Ａが新規単語、単語Ｂと単語Ｃとが既知単語であるとする。
【００２７】
新規度算出部１２は、例えば、新規単語である単語Ａの、当該文書中における延べの単語数の割合を、単語Ａのスコアの値とする。例えば、新規度算出部１２は、当該文書中に含まれる総単語数（５個）のうち、単語Ａの延べの単語数（３個）の割合（０．６）を、当該単語Ａについてのスコアの値とする。
【００２８】
また、新規度算出部１２は、例えば、新規単語である単語Ａの、当該文書中における異なりの単語数の割合を、単語Ａのスコアの値とする。例えば、新規度算出部１２は、当該文書中に含まれる異なりの総単語数（３個）のうち、単語Ａの異なりの単語数（１個）の割合（１／３）を、当該単語Ａについてのスコアの値とする。
【００２９】
また、新規度算出部１２は、例えば、単語Ａ、単語Ｂ、単語Ｃのそれぞれについて、
ＴＦ／（ＴＦ＋１）・・・式（１）
で示される式（１）の値を求める。ここで、ＴＦとは、当該文書中に出現する各単語の頻度をいう。例えば、求まった単語Ａについての式（１）の値がＸA 、単語Ｂについての式（１）の値がＸB 、単語Ｃについての式（１）の値がＸC であるとすると、新規度算出部１２は、ＸA ／（ＸA ＋ＸB ＋ＸC ）の値を、当該単語Ａのスコアの値とする。
【００３０】
また、新規度算出部１２は、例えば、単語Ａ、単語Ｂ、単語Ｃのそれぞれについて、
ＴＦ×ｌｏｇＮ／ＤＦ・・・式（２）
で示される式（２）の値を求める。式（２）において、Ｎは、図示しない大規模コーパス中に含まれる総文書数、ＤＦは、図示しない大規模コーパスにおいて、各単語が出現した文書の数を意味する。例えば、求まった単語Ａについての式（２）の値がＹA 、単語Ｂについての式（２）の値がＹB 、単語Ｃについての式（２）の値がＹC であるとすると、新規度算出部１２は、ＹA ／（ＹA ＋ＹB ＋ＹC ）の値を、当該単語Ａのスコアの値とする。
【００３１】
また、新規度算出部１２によるスコアの値の算出方法は、上述したものに限定されない。例えば、新規度算出部１２は、単語Ａ、単語Ｂ、単語Ｃのそれぞれについて、当該文書中において出現する異なりの単語数に式（２）中のｌｏｇＮ／ＤＦという項の値を掛けた値（それぞれＰA 、ＰB 、ＰC ）を求め、ＰA ／（ＰA ＋ＰB ＋ＰC ）の値を、当該単語Ａのスコアの値としてもよい。また、例えば、新規度算出部１２は、単語Ａ、単語Ｂ、単語Ｃのそれぞれについて、当該文書中において出現する延べの単語数に式（２）中のｌｏｇＮ／ＤＦという項の値を掛けた値（それぞれＱA 、ＱB 、ＱC ）を求め、ＱA ／（ＱA ＋ＱB ＋ＱC ）の値を、当該単語Ａのスコアの値としてもよい。また、例えば、新規度算出部１２は、単語Ａ、単語Ｂ、単語Ｃのそれぞれについて、式（２）中のｌｏｇＮ／ＤＦという項を式（１）に掛けた式の値（それぞれＺA 、ＺB 、ＺC ）を求め、ＺA ／（ＺA ＋ＺB ＋ＺC ）の値を、当該単語Ａのスコアの値としてもよい。新規度算出部１２は、例えば、上記の手法によって、各文書に含まれる全ての新規単語のスコアの値を算出し、算出したスコアの値を合計して、合計値を各文書の新規度とする。
【００３２】
本発明の実施の形態においては、例えば、ある文書中の新規単語Ａについて所定の式に従って決まるスコアの値がＳA 、新規単語Ｂについて所定の式に従って決まるスコアの値がＳB 、当該文書中に含まれる単語のスコアの値の合計の値がＲとすると、（ＳA ／Ｒ）＋（ＳB ／Ｒ）という式に従って決まる値を当該文書の新規度としてもよいし、（ＳA ＋ＳB ）／Ｒという式に従って決まる値を当該文書の新規度としてもよい。
【００３３】
さらに、本発明の実施の形態における、各文書の新規度の算出手法は、上述した手法に限定されるものではなく、新規単語が文書中に出現する頻度に基づいて、当該文書の新規度を算出する任意の手法を採ることができる。
【００３４】
また、本発明の実施の形態においては、例えば、新規度算出部１２が、公知のテキスト分割プログラムを用いて、文書群記憶部１５内の文書のテキストを所定の単位で分割し、分割されたテキスト毎に、新規度を算出する構成を採ってもよい。また、例えば、文書データ表示部１３が、新規度算出部１２によって分割されたテキストから特定のデータをテキストデータとして抽出し、抽出したテキストデータを、当該分割されたテキストの新規度とともに画面表示する構成を採ってもよい。例えば、文書データ表示部１３は、新規度算出部１２によって分割されたテキストから、当該分割されたテキストを識別するデータ（例えば、段落番号等）をテキストデータとして抽出し、抽出された当該分割されたテキストを識別するデータを、当該分割されたテキストの新規度とともに画面表示する。
【００３５】
テキスト分割プログラムによる一般的なテキスト分割の手法については、例えば、下記の参考文献（１）または参考文献（２）に記載されている。
【００３６】
参考文献（１）：内山将夫，井佐原均  (2001)統計的手法による分野非依存のテキスト分割．自然言語処理，8:4 ，19--36
参考文献（２）：Multi-Paragraph Segmentation of Expository Text (1994) Marti A. Hearst 32nd.Annual Meeting of the Association for Computational Linguistics 
例えば、参考文献（１）では、以下に述べるように、テキストの分割結果の確率を定義し、最大確率であるような分割を選ぶアルゴリズムを用いて、テキストを分割する。テキストＷが与えられたときに、その任意の分割Ｓに対して、条件付き確率Ｐｒ（Ｓ｜Ｗ）を定義する。Ｐｒ（Ｓ｜Ｗ）は、テキストＷを条件とする分割Ｓの条件付き確率であるので、この値が最大の分割 *Ｓを選ぶことにより、Ｗが指定された場合の最大確率の分割 *Ｓを選ぶことができる。まず、ｎ個の延べ単語からなるテキストＷ＝ｗ1 ｗ2 ．．．が与えられたとき、ｍ個の区間からなる分割Ｓ＝Ｓ1 Ｓ2 ．．Ｓm の確率Ｐｒ（Ｓ｜Ｗ）は、
【００３７】
【数１】
2007265313.tif 000003
【００３８】
である。
【００３９】
ここで、Ｐｒ（Ｗ｜Ｓ）は、分割Ｓが与えられたときに、テキストＷが生起する確率であり、Ｐｒ（Ｓ）は、分割Ｓの確率である。また、Ｐｒ（Ｗ）は、テキストＷの確率であるが、これは、Ｗが与えられているときには、定数であるから、最大確率の分割を求める際には無視できる。よって、最大確率の分割 *Ｓは、
【００４０】
【数２】
2007265313.tif 000004
【００４１】
である。
【００４２】
また、例えば、参考文献（２）では、テキストにおける隣接するブロックの語彙的な類似度に基づいて、当該テキストの話題の境界を求め、当該テキストを分割する。すなわち、テキストにおける隣接するブロックにおいてよく似た単語が出現していれば、その時点の話題が続くと判断し、テキストにおける隣接するブロックに違う単語（似ていない単語）が出現した場合に、話題（サブトピック）が変化したと判断して、当該テキストを分割する。
【００４３】
新規度算出部１２がテキスト分割プログラムを用いて文書群記憶部１５内の文書のテキストを分割する構成を採る場合、例えば、膨大な量の講演集のテキストをまとまりのある単位（例えば、段落単位やテキストの話題単位）で分割した上で、分割された単位毎の新規度を画面表示することができる。従って、ユーザが、講演集のどのあたりの部分が比較的自分が知らない新規な部分であるかを認識することができるようになる。
【００４４】
図２は、図１及び後述する図６に示す既知単語入力部の構成の一例を示す図である。図２に示す既知単語入力部１１は、入力された個人環境での読み書きデータに含まれる単語の頻度情報に基づいて既知単語を決定し、決定した既知単語を既知単語記憶部１４内に記憶する。既知単語入力部１１は、読み書き入力部２０、読み入力検出部２１、形態素解析器２２、読みデータ格納部２３、既知単語決定部２４、既知単語出力部２５、書き入力検出部２６、形態素解析器２７、書きデータ格納部２８を備える。形態素解析器２２と２７、読みデータ格納部２３と書きデータ格納部２８は、それぞれ一つの形態素解析器、一つの格納部を用いることもできる。
【００４５】
読み書き入力部２０は、個人環境での読み書きデータを入力する。読み入力検出部２１は、読み書き入力部２０から入力された読み入力（読み入力された文字列）を検出する。形態素解析器２２は、読み入力された文字列を単語に分割する。読みデータ格納部２３は、形態素解析器２２で分割した単語を格納する。既知単語決定部２４は、読みデータ格納部２３または後述する書きデータ格納部２８に格納された任意の単語の出現回数をカウントし、カウントされた出現回数に基づいて、既知単語を決定する。既知単語決定部２４は、例えば、カウントされた出現回数が所定の閾値以上の単語を既知単語とする。書き入力検出部２６は、読み書き入力部２０から入力された書き入力（書き入力された文字列）を検出する。形態素解析器２７は、書き入力された文字列を単語に分割する。書きデータ格納部２８は、形態素解析器２７で分割した単語を格納する。既知単語出力部２５は、既知単語決定部２４によって決定された既知単語を出力して、図１に示す既知単語記憶部１４に記憶する。
【００４６】
既知単語決定部２４は、カウントされた出現回数が高い順に所定の数だけ単語を選択し、選択された単語を既知単語としてもよい。また、既知単語決定部２４は、出現回数の最大値に対して所定の割合を掛けた値を求め、出現回数が当該求めた値以上の単語を既知単語としてもよい。本発明の実施の形態によれば、上記の閾値や所定の割合を予め定めてもよいし、適宜ユーザが閾値や所定の割合を設定してもよい。
【００４７】
図３は、既知単語の記憶処理フローの一例を示す図である。読み書き入力部２０から読み入力されたデータ（文字列）を読み入力検出部２１で検出する（ステップＳ１）。ステップＳ１による検出処理によって、読み入力された文字列が検出される。次に、読み入力検出部２１で検出された読み入力された文字列を形態素解析器２２で単語に分割し、単語ごとに読みデータ格納部２３に格納する（ステップＳ２）。各単語ごとに何回出現したかの回数のデータも同時に格納する。すでに格納してある単語と同じ単語のものを格納する場合は出現回数のデータのみを更新する。
【００４８】
次に、読み書き入力部２０から書き入力されたデータ（文字列）を書き入力検出部２６で検出する（ステップＳ３）。具体的には、キーボード入力などで入力された文字列を書き入力されたデータとして認識する。次に、書き入力検出部２１で検出された書き入力された文字列を形態素解析器２７で単語に分割し、単語ごとに書きデータ格納部２８に格納する（ステップＳ４）。各単語ごとに何回出現したかの回数のデータも同時に格納する。すでに格納してある単語と同じ単語のものを格納する場合は出現回数のデータのみを更新する。
【００４９】
既知単語決定部２４が、読みデータ格納部２３内または書きデータ格納部２８内の単語の出現回数に基づいて、既知単語を決定する（ステップＳ５）。そして、既知単語出力部２５が、既知単語決定部２４によって決定された既知単語を、図１に示す既知単語記憶部１４に記憶する（ステップＳ６）。
【００５０】
図４は、文書データ表示部による画面表示の一例を示す図である。図４に示す画面において、「文書タイトルリスト」項目には、「ＡＡＡＡＡ」〜「ＥＥＥＥＥ」といった、文書のタイトルの情報が表示される。「新規度」項目には、各文書のタイトルに対応付けて、各文書の新規度を示すバーが表示される。図４に示す例では、バー全体の面積に占める斜線部の面積の割合で、各文書の新規度が視覚的に示される。例えば、「ＡＡＡＡＡ」というタイトルの文書は、約９０％の新規度を持つことがわかる。もちろん、本発明の実施の形態においては、文書データ表示部１３は、各文書の新規度を示すバーを斜線を省略した形式で表示するようにしてもよい。「新規単語」項目には、各文書のタイトルに対応付けて、各文書に含まれる新規単語が表示される。
【００５１】
本発明の一実施形態によれば、文書データ表示部１３は、例えば、図５の画面に示すように、「新規度」項目に、各文書のタイトルに対応付けて、各文書の新規度を示す円グラフを表示する。文書データ表示部１３は、各文書の新規度を、表示する円の大きさが新規度の大きさを示すバブルチャートの形式で画面表示するようにしてもよい。また、文書データ表示部１３は、各文書の新規度を、新規度の大きさに応じて色分けして画面表示するようにしてもよい。例えば、文書データ表示部１３は、値が高い新規度については赤色で表示し、中程度の高さの値の新規度については紫色で表示し、値が低い新規度については青色で表示するようにしてもよい。本発明の実施の形態においては、新規度の表示形式は、上述したものに限定されるものではなく、文書データ表示部１３は、各文書の新規度を示す任意のグラフを表示するようにしてもよい。
【００５２】
図６は、本発明の文書データ表示装置の構成の別の例を示す図である。文書データ表示装置２は、後述する音声認識・変換部１８によって音声データから変換されたテキスト（文書）中の特定のデータを、当該テキストの新規度とともに画面表示する処理装置である。文書データ表示装置２は、既知単語入力部１１、新規度算出部１２、文書データ表示部１３、既知単語記憶部１４、音声データ入力部１７、音声認識・変換部１８、音声データ記憶部１９を備える。既知単語入力部１１、新規度算出部１２、文書データ表示部１３、既知単語記憶部１４は、それぞれ、図１に示す文書データ表示装置１が備える同符号が付けられた処理部と同様の機能を有する。
【００５３】
音声データ入力部１７は、音声データを入力し、入力した音声データを音声データ記憶部１９内に記憶する。例えば、講演集が朗読された場合の音声データが音声データ記憶部１９内に記憶される。音声認識・変換部１８は、音声データ記憶部１９内の音声データについて音声認識を行い、音声認識された音声データをテキスト（文書）に変換する。新規度算出部１２は、音声認識・変換部１８によって変換された各テキスト（文書）の新規度を算出する。そして、文書データ表示部１３は、音声認識・変換部１８によって変換された各テキスト（文書）から特定のデータをテキストデータとして抽出し、抽出したテキストデータを、各テキストの新規度とともに画面表示する。もちろん、文書データ表示部１３は、音声認識・変換部１８によって変換された各テキスト（文書）の文書データ（テキストデータ）に対応付けて、当該各テキスト（文書）の新規度及び当該各テキスト（文書）に含まれる新規語を画面表示してもよい。本発明の実施の形態においては、文書データ表示装置２は、例えば、画面表示される各文書の文書データと音声データ記憶部１９内の音声データとをリンクさせ、画面上に表示された文書データが選択（例えばマウス等でクリック）されると、当該文書データに対応する音声データを音声出力する音声データ出力部（図示を省略）を備える構成を採ってもよい。また、本発明の実施の形態においては、例えば、新規度算出部１２が、テキスト分割プログラムを用いて、音声認識・変換部１８によって変換されたテキストを所定の単位で分割し、分割されたテキスト毎に、新規度を算出する構成を採ってもよい。また、例えば、文書データ表示部１３が、新規度算出部１２によって分割されたテキストのテキストデータに対応付けて、当該分割されたテキストの新規度及び当該テキスト中に含まれる新規語を画面表示する構成を採ってもよい。
【００５４】
図７は、文書データ表示処理フローの一例を示す図である。図７を参照して説明する文書データ表示処理は、例えば図１に示す文書データ表示装置１によって実行される。まず、文書データ表示装置１の既知単語入力部１１が、既知単語を入力し、入力した既知単語を既知単語記憶部１４内に記憶する（ステップＳ１１）。次に、新規度算出部１２が、文書群記憶部１５内の各文書の情報と既知単語記憶部１４内の既知単語の情報とに基づいて、文書群記憶部１５内の各文書の新規度を算出する（ステップＳ１２）。例えば、新規度算出部１２は、文書群記憶部１５内の各文書に含まれる新規単語のスコアの値を全ての新規単語について算出し、算出されたスコアの値の合計値を、各文書の新規度とする。そして、文書データ表示部１３が、文書群記憶部１５内の各文書のタイトルを、新規度算出部１２によって算出された各文書の新規度に対応付けて画面表示する（ステップＳ１３）。
【００５５】
図８は、文書データ表示処理フローの別の一例を示す図である。図８に示す文書データ表示処理は、例えば図６に示す文書データ表示装置２によって実行される。まず、文書データ表示装置１の既知単語入力部１１が、既知単語を入力し、入力した既知単語を既知単語記憶部１４内に記憶する（ステップＳ２１）。次に、音声データ入力部１７が、音声データを入力し、入力した音声データを音声データ記憶部１９内に記憶する（ステップＳ２２）。例えば、上述したように、講演集が朗読された場合の音声データが音声データ記憶部１９内に記憶される。そして、音声認識・変換部１８が、音声データ記憶部１９内の音声データについて音声認識を行い、音声認識された音声データをテキスト（文書）に変換する（ステップＳ２３）。次に、新規度算出部１２が、音声認識・変換部１８によって変換された各テキストの新規度を算出する（ステップＳ２４）。そして、文書データ表示部１３が、新規度算出部１２によって算出された新規度に基づいて、音声認識・変換部１８によって変換された各テキストのテキストデータを当該各テキストの新規度とともに画面表示する（ステップＳ２５）。
【００５６】
なお、本発明は、コンピュータにより読み取られ実行されるプログラムとして実施することもできる。本発明を実現するプログラムは、コンピュータが読み取り可能な、可搬媒体メモリ、半導体メモリ、ハードディスクなどの適当な記録媒体に格納することができ、これらの記録媒体に記録して提供され、または、通信インタフェースを介してネットワークを利用した送受信により提供されるものである。
【図面の簡単な説明】
【００５７】
【図１】本発明の文書データ表示装置の構成の一例を示す図である。
【図２】既知単語入力部の構成の一例を示す図である。
【図３】既知単語の記憶処理フローの一例を示す図である。
【図４】文書データ表示部による画面表示の一例を示す図である。
【図５】文書データ表示部による画面表示の一例を示す図である。
【図６】本発明の文書データ表示装置の構成の別の例を示す図である。
【図７】文書データ表示処理フローの一例を示す図である。
【図８】文書データ表示処理フローの別の一例を示す図である。
【符号の説明】
【００５８】
１、２  文書データ表示装置
１１  既知単語入力部
１２  新規度算出部
１３  文書データ表示部
１４  既知単語記憶部
１５  文書群記憶部
１７  音声データ入力部
１８  音声認識・変換部
１９  音声データ記憶部
２０  読み書き入力部
２１  読み入力検出部
２２、２７  形態素解析器
２３  読みデータ格納部
２４  既知単語決定部
２５  既知単語出力部
２６  書き入力検出部
２８  書きデータ格納部
【図１】
2007265313.tif 000005
【図２】
2007265313.tif 000006
【図３】
2007265313.tif 000007
【図４】
2007265313.tif 000008
【図５】
2007265313.tif 000009
【図６】
2007265313.tif 000010
【図７】
2007265313.tif 000011
【図８】
2007265313.tif 000012